(57)【要約】      （修正有）【課題】電子デバイスの充電に使用する再充電式バッテリを含む携帯用パワーバンクの充電を容易に行う。【解決手段】携帯用パワーバンク１０は、ハウジングと、ハウジング内に配置されている再充電式バッテリと、ハウジング上に配置されていて再充電式バッテリと電気的に連通している複数の接点と、再充電式バッテリと電気的に連通していて第１の電子デバイスのポートへ差し込まれるように構成されている第１のコネクタ１１とを含み、接点は、電力を供給することのできる導電性充電パッド上に接点が設置されたときに導電性充電パッドから電力を受け取るように構成されている。【選択図】図１
2019213448.tif 000002
【特許請求の範囲】
【請求項１】
ハウジングと、
前記ハウジング内に配置されている再充電式バッテリと、
前記ハウジング上に配置されていて前記再充電式バッテリと電気的に連通している複数の接点と、
前記再充電式バッテリと電気的に連通していて、第１の電子デバイスのポートへ差し込まれるように構成されている第１のコネクタと、
を備えている、携帯用パワーバンクにおいて、
前記接点は、当該接点が電力を供給することのできる導電性充電パッドと接触しているときに前記導電性充電パッドから前記電力を受け取るように構成されている、
携帯用パワーバンク。
【請求項２】
請求項１に記載の携帯用パワーバンクにおいて、前記接点は、異なる電圧レベルを有する前記導電性充電パッドの複数の接点パッドから前記電力を伝導式に受け取るように構成されている、携帯用パワーバンク。
【請求項３】
請求項２に記載の携帯用パワーバンクにおいて、前記接点は、前記ハウジング上に、前記接点の少なくとも２つが異なる電圧レベルを有する前記導電性充電パッドの前記複数の接点パッドの少なくとも２つと前記導電性充電パッド上の前記ハウジングの向きに関わらず接触するように、配列されている、携帯用パワーバンク。
【請求項４】
請求項１に記載の携帯用パワーバンクであって、
前記携帯用パワーバンクを前記導電性充電パッドの１つ又はそれ以上の接点パッドへ磁気的に連結するように構成されている１つ又はそれ以上の磁石、
を更に備えている携帯用パワーバンク。
【請求項５】
請求項１に記載の携帯用パワーバンクであって、
前記ハウジング内に配置されていて、前記再充電式バッテリに関して前記電力を管理するように構成されているパワーモジュール、
を更に備え、
前記再充電式バッテリは前記パワーモジュールと電気的に連通しており、
前記複数の接点及び前記第１のケーブルは前記パワーモジュールを介して前記再充電式バッテリと電気的に連通している、
携帯用パワーバンク。
【請求項６】
請求項１に記載の携帯用パワーバンクであって、
前記ハウジングから延びていて前記再充電式バッテリと電気的に連通している第１のケーブル、
を更に備え、
前記第１のコネクタは前記第１のケーブルへ接続されており、
前記ハウジングは、第１の区画であって、前記第１のケーブル及び前記第１のコネクタが当該第１の区画内に取り外し可能に格納されることができるように前記第１のケーブル及び前記第１のコネクタを保持する形状及び構成である第１の区画、を備えている、
携帯用パワーバンク。
【請求項７】
請求項６に記載の携帯用パワーバンクであって、
前記ハウジングから延びていて、前記再充電式バッテリと電気的に連通している第２のケーブルと、
前記第２のケーブル上に配置されていて、第２の電子デバイスのポートへ差し込まれるように構成されている第２のコネクタと、
を追加的に備えている携帯用パワーバンク。
【請求項８】
請求項７に記載の携帯用パワーバンクにおいて、前記ハウジングは、当該ハウジング内の第２の区画を備えており、前記第２の区画は、前記第２のケーブル及び前記第２のコネクタが前記第２の区画内に取り外し可能に格納されることができるように前記第２のケーブル及び前記第２のコネクタを保持する形状及び構成である、携帯用パワーバンク。
【請求項９】
請求項１に記載の携帯用パワーバンクであって、
前記ハウジング上に配置されている外部充電ポート、
を更に備えている携帯用パワーバンク。
【請求項１０】
請求項１に記載の携帯用パワーバンクであって、
前記ハウジング上に配置されていて、前記再充電式バッテリの充電レベルを表示するように構成されているパワー指示器、
を更に備えている携帯用パワーバンク。
【請求項１１】
請求項１０に記載の携帯用パワーバンクであって、
前記ハウジング上に配置されていて、前記パワー指示器が前記再充電式バッテリの前記充電レベルを表示することを有効にするように構成されているボタン、
を更に備えている携帯用パワーバンク。
【請求項１２】
携帯用パワーバンクであって、
ハウジング、
前記ハウジング内に配置されている再充電式バッテリ、
前記ハウジング上に配置されていて、前記再充電式バッテリと電気的に連通している複数の接点、及び、
前記再充電式バッテリと電気的に連通していて、第１の電子デバイスのポートへ差し込まれるように構成されている第１のコネクタ、
を備えている携帯用パワーバンクと、
導電性充電パッドであって、前記携帯用パワーバンクの前記接点が当該導電性充電パッド上に設置されときに、前記携帯用パワーバンクへ電力を提供するように構成されている導電性充電パッドと、
を備えているシステム。
【請求項１３】
請求項１２に記載のシステムにおいて、前記導電性充電パッドは異なる電圧レベルを有する複数の接点パッドを備えている、システム。
【請求項１４】
請求項１３に記載のシステムにおいて、前記携帯用パワーバンクの前記接点は、前記携帯用パワーバンクの前記ハウジング上に、前記接点の少なくとも２つが異なる電圧レベルを有する前記導電性充電パッドの前記複数の接点パッドの少なくとも２と前記導電性充電パッド上の前記ハウジングの向きに関わらず接触するように、配列されている、システム。
【請求項１５】
請求項１２に記載のシステムであって、
前記ハウジング内に配置されていて、前記再充電式バッテリに関して前記電力を移送するように構成されているパワーモジュール、
を更に備え、
前記再充電式バッテリは前記パワーモジュールと電気的に連通しており、
前記複数の接点及び前記第１のケーブルは前記パワーモジュールを介して前記再充電式バッテリと電気的に連通している、
システム。
【請求項１６】
請求項１２に記載のシステムにおいて、前記携帯用パワーバンクは、当該携帯用パワーバンクを前記導電性充電パッドの１つ又はそれ以上の接点パッドへ磁気的に連結するように構成されている１つ又はそれ以上の磁石を更に備えている、システム。
【請求項１７】
請求項１２に記載のシステムにおいて、前記導電性充電パッドは、複数の携帯用パワーバンクのそれぞれに配置されている接点が前記導電性充電パッド上に設置されると当該複数の携帯用パワーバンクを同時に充電するように構成されている、システム。
【請求項１８】
請求項１２に記載のシステムにおいて、前記導電性充電パッドは可搬式である、請求項１２に記載のシステム。
【請求項１９】
請求項１２に記載のシステムであって、
前記ハウジングから延びていて、前記再充電式バッテリと電気的に連通している第１のケーブル、
を更に備え、
前記第１のコネクタは前記第１のケーブルへ接続されており、
前記携帯用パワーバンクの前記ハウジングは、第１の区画であって、前記第１のケーブル及び前記第１のコネクタが当該第１の区画内に取り外し可能に格納されることができるように前記第１のケーブル及び前記第１のコネクタを保持する形状及び構成である第１の区画、を備えている、
システム。
【請求項２０】
請求項１９に記載のシステムであって、
前記ハウジングから延びていて、前記再充電式バッテリと電気的に連通している第２のケーブルと、
前記第２のケーブル上に配置されていて、第２の電子デバイスのポートへ差し込まれるように構成されている第２のコネクタと、
を更に備え、
前記ハウジングは、当該ハウジング内の第２の区画を備えており、
前記第２の区画は、前記第２のケーブル及び前記第２のコネクタが前記第２の区画内に取り外し可能に格納されることができるように前記第２のケーブル及び前記第２のコネクタを保持する形状及び構成である、
システム。
【発明の詳細な説明】
【技術分野】
【０００１】
本発明は、電子デバイスを充電する分野に関する。より詳しくは、本発明は、１つ又はそれ以上の電子デバイスを、外部デバイスによって伝導充電できる携帯用パワーバンクを介して充電するためのシステム及び方法に関係する。
【背景技術】
【０００２】
パワーバンク即ちモバイルバッテリー又は充電器は、当技術分野において既知である。パワーバンクは、典型的には、電子デバイスを充電するのに使用できる再充電式バッテリを含んでいる。一般的なパワーバンクはバッテリを充電することを必要とする。バッテリを充電する場合、使用者はケーブルを用い、ケーブルをＡＣコンセントとパワーバンクとへ差し込んでＡＣ電源コンセントから再充電式バッテリへパワーを移送させる。ところが、その様なケーブルの使用は不便で煩わしいこともあり、パワーバンクが複数の電子デバイスを充電するのに複数のケーブルを利用できるようになっている場合は特にそうである。
【先行技術文献】
【特許文献】
【０００３】
【特許文献１】米国特許第７，９３２，６３８号明細書
【特許文献２】米国特許第７，９８６，０５９号明細書
【発明の概要】
【０００４】
或る実施形態によれば、携帯用パワーバンクが、ハウジングと、ハウジング内に配置されている再充電式バッテリと、ハウジング上に配置されていて再充電式バッテリと電気的に連通している複数の接点と、再充電式バッテリと電気的に連通していて第１の電子デバイスのポートへ差し込まれるように構成されている第１のコネクタと、を含んでいる。接点は、電力を供給することのできる導電性充電パッド上に接点が設置されたときに導電性充電パッドから電力を受け取るように構成されていてもよい。
【０００５】
別の実施形態では、システムが、携帯用パワーバンクと、導電性充電パッドと、を含んでいる。携帯用パワーバンクは、ハウジングと、ハウジング内に配置されている再充電式バッテリと、ハウジング上に配置されていて再充電式バッテリと電気的に連通している複数の接点と、再充電式バッテリと電気的に連通していて第１の電子デバイスのポートへ差し込まれるように構成されている第１のコネクタと、を含んでいる。導電性充電パッドは、携帯用パワーバンクの接点が導電性充電パッド上に設置されたときに、携帯用パワーバンクへ電力を提供するように構成されていてもよい。
【０００６】
発明の実施形態が説明を目的に一例として開示されている以下の記述と添付図面を関連付けて考察することにより他の特徴及び利点が明らかとなるであろう。
【０００７】
上記及び他の特徴及び利点は、添付図面に描かれている様々な例示としての実施形態についての以下のより具体的な説明から明らかになるはずであり、図面中、同様の符号は、概して、同一の要素、機能的に類似の要素、及び／又は構造的に類似の要素を表す。
【図面の簡単な説明】
【０００８】
【図１】本発明の或る実施形態による或る例示としての携帯用パワーバンクの斜視図を描いており、携帯用パワーバンクは携帯用パワーバンクのハウジングから外方に位置をずらされた一対のケーブル及びコネクタと共に示されている。
【図２】図１の携帯用パワーバンクの斜視図を描いており、携帯用パワーバンクは一方のケーブル及びコネクタが携帯用パワーバンクのハウジングから外方へ位置をずらされ携帯用電子デバイスへ接続されていて、他方のケーブル及びコネクタが携帯用パワーバンクのハウジング内に格納されている状態で示されている。
【図３】図１の携帯用パワーバンクの斜視図を描いており、携帯用パワーバンクは両方のケーブル及びコネクタが携帯用パワーバンクのハウジング内に格納されている状態で示されている。
【図４】図２の携帯用パワーバンクの前面図を描いている。
【図５】図２の携帯用パワーバンクの後面図を描いている。
【図６】本発明の実施形態による、複数の携帯用パワーバンクを再充電するように構成されている導電性充電パッドを備えている例示としてのシステムを描いている。
【図７】本発明の実施形態による、複数の携帯用パワーバンクを再充電するように構成されている導電性充電パッドを備えている例示としてのシステムを描いている。
【図８】本発明の実施形態による、複数の携帯用パワーバンクを再充電するように構成されている導電性充電パッドを備えている例示としてのシステムを描いている。
【発明を実施するための形態】
【０００９】
添付図面にその実例が示されている本発明の様々な実施形態をこれより詳細に参照してゆく。理解しておくべきこととして、ここに含まれている本発明についての図及び説明は、本発明に特に関連性のある要素を例示し説明している。また、明細書の中での「１つの実施形態」、「或る実施形態」、又は「或る代わりの実施形態」への何らかの言及は、実施形態と関連して説明されている或る特定の特徴、構造、又は特性が発明の少なくとも１つの実施形態に含まれていることを意味する、ということに留意することも重要である。したがって、明細書全体を通しての「１つの実施形態では」及び同様の語句の復唱は、必ずしも同じ実施形態に言及しているとは限らない。
【００１０】
本発明の実施形態は１つ又はそれ以上の電子デバイスを充電することに向けられている。ここでの使用に際し、「電子デバイス」という用語は、概して電気又はバッテリによってパワー供給される携帯用電子デバイス（ＰＥＤ）を指すものとしてもよい。ＰＥＤは、１つ又はそれ以上の再充電式バッテリを組み入れていることもある。例示としての電子デバイスは、移動体電話、携帯情報端末（ＰＤＡ）、ノートブックコンピュータ、スマートフォン、補聴器、音楽再生器、手持ち式ゲームプレーヤ、ビデオゲームコンソール、リモコン、ラジオ、コンパクトディスクプレーヤ、スピーカ、ヘッドフォン、デジタルカメラ、携帯用無線機、又は他の通信デバイス、などを含む。
【００１１】
本開示の或る実施形態は、１つ又はそれ以上の電子デバイスを充電するための携帯用パワーバンクに関する。携帯用パワーバンクは、電子デバイスへ電力を提供する再充電式バッテリを含むことができる。携帯用パワーバンクは、軽量及び／又は携帯できる大きさのハウジングを有することができる。ハウジングは、再充電式バッテリと電気的に連通していて（例えばバッテリへはんだ付けされているか又は他のやり方で接続されていて）１つ又はそれ以上の電子デバイスを充電するように構成されている１つ又はそれ以上の一体型ケーブル及びコネクタ、を有することができる。それら一体型ケーブル及び／又はコネクタは、同様の型式であってもよいし、又は携帯用パワーバンクが異なる型式の電子デバイスに適合できるように異なる型式であってもよい。携帯用パワーバンクは、更に、再充電式バッテリと電気的に連通している複数の接点を含むことができる。接点は、導電性充電パッドと接触すると当該パッドから電力を受け取るように構成されていてもよい。
【００１２】
本開示の別の実施形態は、１つ又はそれ以上の電子デバイスを充電するシステムに関する。システムは、１つ又はそれ以上の以上に論じられている携帯用パワーバンクと、各パワーバンクへ電力を提供するように構成されている導電性充電パッドと、を備えることができる。導電性充電パッドは、複数の携帯用パワーバンクを同時に、何れの充電用アダプタ／ケーブルも無しに、充電することができる。したがって、導電性充電パッドは携帯用パワーバンクのバルク充電を提供することができる。
【００１３】
図１を参照すると、１つ又はそれ以上の電子デバイスを充電するための携帯用パワーバンク（１０）の或る実施形態が示されている。携帯用パワーバンク（１０）は、再充電式バッテリを内蔵しているハウジングを含むことができる。ハウジングは、プラスチック又は何れかの他の堅牢な材料で作られることができる。或る実施形態によれば、ハウジングは、追加の厚さ及び複雑性をハウジングへ加えることを要求しない材料から構築されている。バッテリの型式及び大きさは変更できる。例えば、バッテリは、リチウム−ポリマー、リチウク−イオン、Ｎｉ−Ｃｄ、アルカリ、などであってもよい。
【００１４】
携帯用パワーバンク（１０）は、更に、１つ又はそれ以上のケーブル（１２、１２’）及び／又は１つ又はそれ以上のコネクタ（１１、１１’）を備えることができる。携帯用パワーバンク（１０）は、複数のＰＥＤを同時に、ケーブル（１２、１２’）及び／又はコネクタ（１１、１１’）を介して充電することができる。コネクタ（１１、１１’）のそれぞれは、電子デバイスの内部バッテリを充電するために電子デバイスに差し込まれるように適合されていてもよい。コネクタ（１１、１１’）のそれぞれは、Ａｐｐｌｅ  Ｌｉｇｈｔｎｉｎｇ、ＵＳＢ−タイプＡ、ＵＳＢ−タイプＢ、ＵＳＢ−タイプＣ、ＵＳＢ−Ｍｉｎｉ、ＵＳＢ−Ｍｉｃｒｏ、又は現時点で既知の又は後日開発される何れかの他の型式の電子コネクタを備えることができる。例示されている或る実施形態によれば、１つ又はそれ以上のケーブル（１２、１２’）は、ハウジングから延びていて、再充電式バッテリと電気的に連通することができる（例えば、バッテリへはんだ付けされているか又はそれ以外にやり方で接続されている）。コネクタ（１１、１１’）はケーブル（１２、１２’）から延びていてもよい。例えばコネクタ（１１、１１’）はケーブル（１２、１２’）の端から延びていてもよいが、ケーブル（１２、１２’）及びコネクタ（１１、１１’）の他の配置も実施可能である。例示されていない別の実施形態によれば、コネクタ（１１、１１’）はハウジングの中へ直接埋め込まれている場合もあり、そうするとケーブル（１２、１２’）は不要である。その場合、コネクタ（１１、１１’）は再充電式バッテリと直接に電気的に連通することができる。
【００１５】
パワーバンク（１０）のハウジングは、１つ又はそれ以上のケーブル（１２、１２’）及びコネクタ（１１、１１’）を固定する寸法及び構成の１つ又はそれ以上の区画を有していてもよい。区画は、ハウジング上の同じ場所に提供されていてもよいし、又はハウジング上の異なる場所に提供されていてもよい。例えば、区画はハウジングの互いに反対側の側壁に提供されていてもよい。各区画は、個々のケーブル（１２、１２’）及び個々のコネクタ（１１、１１’）が区画内に格納されることを可能にするように構成されていて、ハウジング及び関連のケーブル／コネクタが流線形の外部形状及び外観を維持できるようにしていてもよい。図２に描かれている様に、使用時、使用者はケーブル（１２、１２’）及び／又はコネクタ（１１、１１’）の１つ又はそれ以上を各個の区画から取り外してＰＥＤ（１７）へ装着することができる。また一方、図３−図５に描かれている様に、携帯用パワーバンクが１つ又はそれ以上の電子デバイスを充電していないとき、１つ又はそれ以上のケーブル（１２、１２’）はコネクタ（１１、１１’）と共にハウジングの区画の内部に挿入されるように適合されていてもよい。幾つかの実施形態では、区画は、１つ又はそれ以上のケーブル（１２、１２’）及びコネクタ（１１、１１’）が区画内に入っているときに、ケーブル（１２、１２’）及びコネクタ（１１、１１’）を側壁と面一になるよう保持することができる。
【００１６】
携帯用パワーバンク（１０）は、更に、ハウジング内に配置されているパワーモジュールを備えることができる。パワーモジュールは、再充電式バッテリと電気的に連通していて（例えば、それへはんだ付けされているか又はそれ以外のやり方で接続されていて）、再充電式バッテリに関して電力を管理するように構成されていてもよい。パワーモジュールは、更に、１つ又はそれ以上のケーブル（１２、１２’）と電気的に連通していて（例えば、それへはんだ付けされているか又はそれ以外のやり方で接続されていて）、且つ以下に更に詳細に論じられている携帯用パワーバンク（１０）の複数の接点のうちの少なくとも２つと電気的に連通していてもよい。これは、パワーモジュールが、ケーブル（１２、１２’）を介して接続される１つ又はそれ以上の電子デバイスへ提供される電力を制御することを可能にするだろう。
【００１７】
そういうものとして、携帯用パワーバンク（１０）のパワーモジュールは、導電性充電パッドから受け取られ再充電式バッテリによって蓄積される電力を制御することができる。そうする際に、パワーモジュールは、再充電式バッテリの電圧要件及び電流要件の１つ又はそれ以上を検出し及び調整することができる。パワーモジュールは、その際、電圧を導電性充電パッドからの電圧からバック又はブーストして再充電式バッテリの（単数又は複数の）要件に合致させることができる。例えば、伝導パワーパッドが３０ボルトを送達するように構成されているなら、携帯用パワーバンク（１０）のパワーモジュールは、３０ボルトを、パワーバンク（１０）の再充電式バッテリの電圧要件（例えば２．５ボルト）へバック又はブーストすることができる。そうするために、パワーモジュールは、携帯用パワーバンク（１０）の接点（１６）（図３に例示）が異なる電圧又は電流を有している伝導パワーパッドのパッドと接触したときに、携帯用パワーバンク（１０）の接点（１６）を介して電位差を受信することができる。
【００１８】
次に図３を参照して、携帯用パワーバンク（１０）は充電ポート（１６）を備えることができる。携帯用パワーバンク（１０）は、携帯用パワーバンク（１０）の再充電式バッテリが、電力を提供することのできる外部デバイスによって充電されることを許容することができる。充電ポート（１６）は、Ａｐｐｌｅ  Ｌｉｇｈｔｎｉｎｇ、ＵＳＢ−タイプＡ、ＵＳＢ−タイプＢ、ＵＳＢ−タイプＣ、ＵＳＢ−Ｍｉｎｉ、ＵＳＢ−Ｍｉｃｒｏ、又は現時点で既知の又は後日開発される何れかの他の型式を備えることができる。代わりに、例示はされていないが、携帯用パワーバンク（１０）は充電ポート（１６）無しに作られていて、パワーバンクは以下に更に詳しく論じられている様に導電性充電パッドを介してのみ充電できるようになっていてもよい。
【００１９】
これより図４を参照して、携帯用パワーバンク（１０）は、パワー指示器（１５）を含むことができる。パワー指示器（１５）は、携帯用パワーバンク（１０）が充電されているとき及び／又は１つ又はそれ以上の他の電子デバイスをケーブル（１２、１２’）（図１に例示）を介して充電しているときに光るようになっていてもよい。パワー指示器（１５）は、携帯用パワーバンク（１０）のハウジングの一部分がパワー指示器（１５）の内側に常在するような環状であってもよい。
【００２０】
携帯用パワーバンク（１０）は、更に、パワー指示器（１５）と連通しているボタン（１３）を備えることができる。ボタン（１３）はパワー指示器（１５）をトリガして、携帯用パワーバンク（１０）のハウジング内に配置されている再充電式バッテリの充電レベルを指示するべく光らせることができる。充電レベルは、「低」、「中」、及び「高」の様な複数のレベルを備えることができる。充電レベルを指示するため、パワー指示器（１５）は複数のバーを光らせるようになっていてもよい。例えば、バー１本は「低」充電に関係し、バー２本は「中」充電に関係し、バー３本は「高」充電に関係する、というのであってもよい。充電レベルを表示するための他の形態も実施可能である。ボタン（１０）は、更に、再充電式バッテリをオンにしたりオフにしたりするようになっていてもよい。そういうものとして、或る実施形態によれば、ＰＥＤが携帯用パワーバンク（１０）へ接続され、使用者がボタン（１０）を押すと、再充電式バッテリはオンになり、パワー指示器（１５）は再充電式バッテリの充電レベルを指示するように光ることができる。代わりに、携帯用パワーバンク（１０）は、ＰＥＤの接続を自動で検知し、ＰＥＤを自動で充電するように構成されていてもよい。
【００２１】
次に図５を参照して、携帯用パワーバンク（１０）は、複数の接点（１４）及び随意的には１つ又はそれ以上の磁石（１７）を備えていてもよい。接点（１４）及び磁石（１７）はハウジング上の何れの場所に配置されていてもよい。この方針に沿って、接点（１４）及び磁石（１７）はハウジング上の同じ場所に配置されていてもよいし、又はハウジング上の異なる場所に配置されていてもよい。例えば、接点（１４）及び磁石はハウジングの、ボタン（１３）（図４に例示）とは反対側の面に配置されていてもよい。図５に例示されている様に、接点（１４）及び磁石（１７）はハウジングの後端に配置されていてもよい。或る実施形態によれば、接点（１４）は、携帯用パワーバンク（１０）のハウジングを貫いて少なくとも部分的に突き出ていてもよく、磁石（１７）は携帯用パワーバンク（１０）のハウジングの中へ一体化されていてもよい。
【００２２】
携帯用パワーバンク（１０）の接点（１４）は、接点（１４）を導電性充電パッド上に設置することによって、携帯用パワーバンク（１０）の内部バッテリの充電を有効にすることができる。例えば、接点（１４）は、接点（１４）を異なる電圧レベルを提供する導電性充電パッドの接点パッド（contact pads）上に設置することによって、携帯用パワーバンク（１０）の内部バッテリの充電を有効にすることができる。携帯用パワーバンク（１０）の接点（１４）に関する更なる詳細は米国特許第７，９３２，６３８号に見出すことができ、前記特許の開示を参考文献としてここに援用する。代わりに、又は接点（１４）に加えて、携帯用パワーバンク（１０）の磁石（１７）は、携帯用パワーバンク（１０）が導電性充電パッドへ磁気的に連結するのを許容することができる。
【００２３】
これより図６−図８を参照して、１つ又はそれ以上の電子デバイスを充電するためのシステム（１００）が提供されていてもよい。システムは、１つ又はそれ以上の以上に論じられている携帯用パワーバンク（１０）と、導電性充電パッド（２０）と、を備えることができる。導電性充電パッド（２０）はパワー管理モジュールを含むことができる。パワー管理モジュールは、外部パワー源から電力を受け取るように、及び携帯用パワーバンク（１０）が導電性充電パッド（３０）上に設置されたときに携帯用パワーバンク（１０）のパワーモジュールと通信するように、構成されていてもよい。導電性充電パッド（２０）は、更に、規格の電圧又は電流を提供するように構成されている複数の接点パッドを備えることができる。接点パッドのうち少なくとも２つは、異なる電圧又は異なる電流を提供するようになっていてもよい。導電性充電パッド（２０）及びそれの接点パッドの更なる詳細は、米国特許第７，９３２，６３８号及び同第７，９８６，０５９号に見出すことができ、それら特許の開示を参考文献としてここに援用する。
【００２４】
以上に論じられている様に、携帯用パワーバンク（１０）は複数の接点を備えることができる。携帯用パワーバンク（１０）の接点が導電性充電パッド（２０）上に設置されると、導電性充電パッド（２０）の複数の接点パッドが電力を携帯用パワーバンク（１０）へ伝導式に移送することができる。これは、携帯用パワーバンク（１０）の接点を通して行われることになる。
【００２５】
図６−図８の実施形態に示されている様に、導電性充電パッド（２０）は、１つ又はそれ以上の携帯用パワーバンク（１０）、例えば４乃至１５の携帯用パワーバンク（１０）を充電するように適合されていてもよい。導電性充電パッド（２０）は、各携帯用パワーバンク（１０）の少なくとも２つの接点が、異なる電圧レベルを有する充電パッド（２０）の接点パッドと接触している限り、各携帯用パワーバンク（１０）の向きに関係なく、各携帯用パワーバンク（１０）を充電することができる。これは、使用者が携帯用パワーバンク（１０）をそれの内部バッテリを充電するために任意の向きで導電性充電パッド２０上に下ろす又は設置できるようにする。こうして、システム（１００）は、（単数又は複数の）携帯用パワーバンク（１０）を充電するときの充電ケーブル／アダプタの必要性を排除することができる。
【００２６】
追加的又は代替的に、システム（１００）は、携帯用パワーバンク（１０）を導電性充電パッド（２０）上に特定の向きで設置する必要性を排除することができる。以上に述べられている様に、システム（１００）は、更に、使用者が複数のパワーバンク（１０）を同時に導電性充電パッド（２０）上で充電するのを可能にすることができる。導電性充電パッド（２０）は、台（図６に例示）に設置されることもできるし、スタンド（図７に例示）に設置されることもできるし、又は壁（図８に例示）に設置されることもできる。また、充電パッド（２０）は、バス停留所、空港、百貨店、大型スーパーマーケット、などの様な公共の場に、コンパクトな充電ステーションの形態で取り付けられることもできる。充電ステーションは、キオスク様式とされてもよいし、歩道上に、又は建物のロビー内に、又は何れかの他の適切な公共的にアクセスできる場所に配置されてもよい。代わりに、例示されてはいないが、導電性充電パッド（２０）は、テーブル、机、又は寝室用ランプの様な家具の表面に埋め込まれていてもよい。この方針に沿って、導電性充電パッド（２０）は壁の露出されている部分へ埋め込まれていてもよい。
【００２７】
以上の説明から、当業者は、発明の本質的な特性を容易に解明することができ、また本発明を様々な条件に適合させるために及び本発明をそれの最大範囲まで利用するために、発明の趣旨及び範囲から逸脱することなく発明の変更及び修正を行うことができるだろう。ここに説明されている特定の実施形態は、単に例示であり、決して発明の範囲を限定するものと考えられてはならない。また、以上に明示的に述べられていなくても、発明の１つの実施形態と関連して説明されている特徴は他の実施形態と関連して使用されてもよい。
【符号の説明】
【００２８】
１０  携帯用パワーバンク
１１、１１’  コネクタ
１２、１２’  ケーブル
１３  ボタン
１４  接点
１５  パワー指示器
１６  充電ポート
１７  ＰＥＤ（携帯用電子デバイス）
１７  磁石
２０  導電性充電パッド
１００  １つ又はそれ以上の電子デバイスを充電するためのシステム
【図１】
2019213448.tif 000003
【図２】
2019213448.tif 000004
【図３】
2019213448.tif 000005
【図４】
2019213448.tif 000006
【図５】
2019213448.tif 000007
【図６】
2019213448.tif 000008
【図７】
2019213448.tif 000009
【図８】
2019213448.tif 000010
【外国語明細書】
2019213448000001.pdf